(57)【要約】【課題】腰に巻き付けるゴムベルトであって芳香を発するものを提供する。【解決手段】ゴムベルト１は、所要幅及び所要長さに形成されたゴムベルト本体１００と、ゴムベルト本体１００に点在して形成された通気孔１０２と、ゴムベルト本体１００両端部に取り付けられた面ファスナー１０４,１０５を備えている。上記各面ファスナーは各々表裏反対側に設けられ、面ファスナー１０４は装着時に裏側になるよう取り付けられ、面ファスナー１０５は装着時に表側になるよう取り付けられ、腰に巻いた状態で互いが当接し接着するよう設けてある。ゴムベルト本体１００はその原料ゴムの製造工程（練り工程）において液状の香料が添加してあり、その添加比率は原料ゴム１００重量部に対して香料０．２〜０．３重量部である。上記香料は、ラベンダーとローズの香気を生じさせる成分とゴム臭を低減或いは抑制する成分を含有する。【選択図】図１
0003138599.tif 000002
【実用新案登録請求の範囲】
【請求項１】
腰に巻きつけるゴムベルト(1)であって、
シート状のゴムを腰に巻き付けるべく所要幅および所要長さに形成されており、香料を含有しているゴムベルト本体(100)と、
当該ゴムベルト本体に点在して形成されている通気孔(102)と、
前記ゴムベルト本体に取り付けられており、接合および離反してゴムベルトを身体に着脱可能に装着するファスナー手段(104,105)を備えており、
ゴムベルト本体に含有する香料は、原料ゴム１００重量部に対して０．１〜０．５重量部が添加されている、
香りを発するゴムベルト。
【請求項２】
添加される香料が０．２重量部〜０．３重量部である、
請求項１記載の香りを発するゴムベルト。
【考案の詳細な説明】
【技術分野】
【０００１】
本考案は、香りを発するゴムベルトに関する。更に詳しくは、腰に巻き付けるゴムベルトであって、原料ゴムに香料を添加したものを使用し、芳香を発するものに関する。
【背景技術】
【０００２】
従来、腰痛防止、骨盤矯正用またはダイエット用として、腰に巻くゴムベルトが使用されている。上記ゴムベルトは、天然ゴム又は合成ゴムを主原料として作成されている。
【考案の開示】
【考案が解決しようとする課題】
【０００３】
しかし、上記ゴムベルトは独特のゴム臭がするため、この臭いを不快に思うユーザーから改善を求める声が多く寄せられていた。
このような臭いは、まず原料ゴムそのものにゴム独特の臭いがあり、更にゴム製造時の混練り工程において硫黄等の薬品類を添加することで薬品臭とゴム臭が混じり合うことによって発生していた。
【０００４】
特に最終工程での臭いが一番強いため、当該工程後ベルトに加工する前のゴムシートを何日も自然放置して臭いを飛ばす作業が行われていたが、不快臭は薄れるものの、ユーザーの要求するレベルの臭いに達していなかった。
【０００５】
また、製造側としても、自然放置してゴム臭を飛ばす方法を行った場合、製品毎にゴム臭が薄れる迄の期間にばらつきがあったり、納品する個数のゴムベルト全てのゴム臭が薄れるまで保管・管理をしなければならず、結果として納期が遅れる、等の作業等の負担が大きかった。
【０００６】
（考案の目的）
そこで、本考案の目的は、腰に巻き付けるゴムベルトであって芳香を発するものを提供することにある。
【課題を解決するための手段】
【０００７】
上記目的を達成するために講じた本考案の手段は次のとおりである。
本考案は、腰に巻きつけるゴムベルト(1)であって、シート状のゴムを腰に巻き付けるべく所要幅および所要長さに形成されており、香料を含有しているゴムベルト本体(100)と、当該ゴムベルト本体に点在して形成されている通気孔(102)と、前記ゴムベルト本体に取り付けられており、接合および離反してゴムベルトを身体に着脱可能に装着するファスナー手段(104,105)を備えており、ゴムベルト本体に含有する香料は、原料ゴム１００重量部に対して０．１〜０．５重量部が添加されている、香りを発するゴムベルトである。
【０００８】
上記考案は、添加される香料が０．２重量部〜０．３重量部であるものであってもよい。
【０００９】
本明細書及び本実用新案登録請求の範囲にいう「原料ゴム」は、天然ゴム及び合成ゴムのいずれも含む意味で使用している。
【００１０】
本明細書及び本実用新案登録請求の範囲にいう「香料」は、強い香気によりゴム臭を打ち消すものが挙げられるが、これに限定するものではなく、ゴム臭の発生を抑制し且つ香気を発するものであってもよい。
【００１１】
本明細書及び本実用新案登録請求の範囲にいう「ゴムベルト」は、例えば、帯状又は紐状のものが挙げられ、該帯状又は紐状のゴムベルトは中実であってもよいし、中空（いわゆるチューブ状）であってもよい。
【００１２】
本明細書及び本実用新案登録請求の範囲にいう「ファスナー手段」は、面ファスナーが挙げられるが、これに限定するものではなく、例えば、結合紐や、バックル、各種結合金具等の公知手段も含む意味で使用している。
【００１３】
ゴムベルト本体に含有する香料は、原料ゴム１００重量部に対して０．１〜０．５重量部が好適であり、更に好ましくは、原料ゴム１００重量部に対して０．２〜０．３重量部が好ましい。原料ゴム１００重量部に対して０．１重量部以下の場合は香料の香気よりもゴム臭の方が勝り、一方、原料ゴム１００重量部に対して０．５重量部以上の場合は香気が過剰となり、コスト増に繋がるためである。
【００１４】
（作  用）
本考案に係るゴムベルトの作用を説明する。なお、ここでは、本考案の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００１５】
（装着時）
装着者は、ゴムベルト本体(100)を引っ張りながら腰に巻き付け、装着者の腰回りに応じた位置においてファスナー手段(104,105)にて留める。
【００１６】
（装着中）
ゴムベルト(1)は、ゴムベルト本体(100)の縮む力によって装着者の腰を加圧・圧縮して締め付ける。
一般的に、腰痛は骨盤の歪みやズレ等が原因のひとつと考えられているが、上記ゴムベルト(1)は装着者の腰を締め付けることによって骨盤の歪みやズレ等を矯正し、腰痛を緩和する。
また、腰椎に故障を抱えている者又は不安がある者がスポーツ、重量物の運搬、長時間の運転等を行う際に、ゴムベルト(1)を装着すると、該ゴムベルト(1)が腹筋及び背筋を補助し、また、腹圧の上昇を防止或いは抑制することで、腰痛の発生を防止又は抑制する。
更に、産後の女性がゴムベルト(1)を装着した場合は、上述のようにゴムベルト(1)が装着者の腰を締め付けることによって骨盤の広がりなどが原因とされるボディラインの崩れを防止又は緩和する。
【００１７】
従来のゴムベルトではゴムベルト本体からゴム臭が発生していたが、本考案にかかるゴムベルト(1)のゴムベルト本体(100)は香料を含有しているため、香料の由来する香気によりゴム臭が抑制されるか、または、発生しない。
【００１８】
ゴムベルト本体(100)に点在して形成されている通気孔(102)は、ゴムベルト(1)が巻かれている腰部及び腹部の熱を逃がし、装着部分の発汗を抑制する。
【考案の効果】
【００１９】
本考案によれば、次の効果を奏する。
（１）原料ゴムに香料を添加したものによりゴムベルトを形成したことで、芳香を発するゴムベルトを提供することができる。この結果、従来のゴムベルトが発していた不快臭は、香気により打ち消され、または、香料によりゴム臭を抑制しつつ香気を発するので、ユーザーは快適にゴムベルトを使用できる。当該ゴムベルトによれば、腰痛の緩和、抑制又は防止が可能であり、また、ダイエット等のために使用することができる。
【考案を実施するための最良の形態】
【００２０】
本考案の実施の形態を図面に基づき更に詳細に説明する。
図１は、本考案に係るゴムベルトの斜視図である。
【００２１】
まず図１に示すゴムベルト１について説明する。
ゴムベルト１は、所要幅および所要長さに形成されたゴムベルト本体１００と、ゴムベルト本体１００に点在して形成された通気孔１０２と、ゴムベルト本体１００両端部に取り付けられたファスナー手段と、を備えている。
【００２２】
なお、本実施の形態では、ファスナー手段として面ファスナー１０４,１０５を利用している。面ファスナー１０４,１０５はそれぞれ表裏反対側に設けられており、一端側の面ファスナー１０４は装着時において裏側になるよう取り付けられ、他端側の面ファスナー１０５は装着時において表側になるよう取り付けられ、腰に巻いた状態で互いが当接し接着するよう設けられている。
【００２３】
ゴムベルト本体１００は、その原料ゴムの製造工程（練り工程）において、液状の香料が添加されている。添加比率は、原料ゴム１００重量部に対して香料が０．２〜０．３重量部である。上記香料は、ラベンダー及びローズの香気を生じさせる成分と、ゴム臭を低減あるいは抑制する成分を含有する。
【００２４】
本実施の形態においては、ゴムベルト本体１００は、長さ８００〜１２００ｍｍ、幅７０〜２００ｍｍ、厚み１．８〜２．０ｍｍの寸法であるが、当該寸法に限定するものではなく、利用形態に応じて適宜変更可能である。
【００２５】
なお、ゴムベルト１には、吸水性又は吸湿性を備える裏地を設けてもよい。
【００２６】
（作  用）
図２は、本考案に係るゴムベルトの使用状態説明図である。なお、図２では通気孔１０２の記載が省略されている。
図１及び図２を参照して、ゴムベルト１の作用を説明する。
【００２７】
（装着時）
装着者Ｈは、ゴムベルト本体１００を引っ張りながら腰に巻き付け、自身の腰回りに応じた位置において面ファスナー１０４，１０５を接着させて留める。
【００２８】
（装着中）
ゴムベルト１は、ゴムベルト本体１００の縮む力によって装着者Ｈの腰を加圧・圧縮して締め付ける。
一般的に、腰痛は骨盤の歪みやズレ等が原因のひとつと考えられているが、上記ゴムベルト１は装着者の腰を締め付けることによって骨盤の歪みやズレ等を矯正し、腰痛を緩和する。
また、腰椎に故障を抱えている者又は不安がある者がスポーツ、重量物の運搬、長時間の運転等を行う際に、ゴムベルト１を装着すると、該ゴムベルト１が腹筋及び背筋を補助し、また、腹圧の上昇を防止或いは抑制することで、腰痛の発生を防止あるいは抑制する。
更に、産後の女性がゴムベルト１を装着した場合は、上述のようにゴムベルト１が装着者の腰を締め付けることによって骨盤の広がりなどが原因とされるボディラインの崩れを防止又は緩和する。
【００２９】
従来のゴムベルトではゴムベルト本体からゴム臭が発生していたが、ゴムベルト１のゴムベルト本体１００は香料を含有しているため、香料の由来する香気によりゴム臭が抑制されるか、または、発生しない。
この結果、従来のゴムベルトが発していた不快臭は、香気により打ち消され、または、香料によりゴム臭を抑制しつつ香気を発するので、装着者Ｈは快適にゴムベルトを使用できる。
【００３０】
ゴムベルト本体１００に形成されている通気孔１０２は、ゴムベルト１が巻かれている腰部及び腹部の熱を逃がし、装着部分の発汗を抑制する。
【００３１】
本明細書及び実用新案登録請求の範囲で使用している用語と表現は、あくまでも説明上のものであって、なんら限定的なものではなく、本明細書及び実用新案登録請求の範囲に記述された特徴およびその一部と等価の用語や表現を除外する意図はない。また、本考案の技術思想の範囲内で、種々の変形態様が可能であるということは言うまでもない。
【図面の簡単な説明】
【００３２】
【図１】本考案に係るゴムベルトの斜視図。
【図２】本考案に係るゴムベルトの使用状態説明図。
【符号の説明】
【００３３】
１      ゴムベルト
１００  ゴムベルト本体
１０２  通気孔
１０４,１０５  面ファスナー
Ｈ      装着者
【図１】
0003138599.tif 000003
【図２】
0003138599.tif 000004